(57)【要約】【課題】踏板の切込部に桁を嵌め込むと共に切込部の縁部を桁の嵌込溝に嵌め込んで接続するオープン階段において、照明手段に接続した配線を上階や下階のコントローラ等に接続することができ、また施工作業が容易で桁の側面をシンプルな外観とすることができるようにする。【解決手段】  踏板２の前部の下面に照明手段を設ける。踏板２の下面に照明手段近傍の踏板２の前部から後方に伸びる収納溝９を形成する。踏板２に収納溝９の後端部に連通する収納凹所１１を形成する。踏板２に形成した後方に開口する切込部７に桁１を嵌め込む。切込部７の縁部を桁１に形成した前方に開口する嵌込溝４に嵌め込む。この状態で収納凹所１１を桁１の側面に形成した桁１の長手方向に伸びる桁側配線溝部６に連通させる。【選択図】図１
2008106555.tif 000002
【特許請求の範囲】
【請求項１】
踏板の前部の下面に照明手段を設け、該踏板の下面に照明手段近傍の踏板の前部から後方に伸びる踏板側配線溝部を形成し、該踏板に踏板側配線溝部の後端部に連通する溝連通用凹所を形成し、踏板に形成した後方に開口する切込部に桁を嵌め込むと共に切込部の縁部を桁に形成した前方に開口する嵌込溝に嵌め込んだ状態で、前記溝連通用凹所を桁の側面に形成した桁の長手方向に伸びる桁側配線溝部に連通させて成ることを特徴とする照明付階段。
【請求項２】
前記桁側配線溝部を嵌込溝を横切るように形成すると共に、嵌込溝を桁側配線溝部よりも後方に至る位置まで形成し、桁側配線溝部の嵌込溝と重複する部分を除く部分を配線カバーで覆って成ることを特徴とする請求項１に記載の照明付階段。
【請求項３】
踏板の後端部に収納凹所を形成し、該収納凹所に断面コ字状のカバーベースを収納し、収納凹所とカバーベースで溝連通用凹所を構成し、該溝連通用凹所に通した配線をカバーベースに取り付けた配線カバーで覆って成ることを特徴とする請求項１又は請求項２に記載の照明付階段。
【発明の詳細な説明】
【技術分野】
【０００１】
本発明は踏板の前部の下面に照明手段を設けた照明付階段に関する。
【背景技術】
【０００２】
従来から例えば図１６に示すような各踏板２の前部の下面に照明手段３５を設けた照明付階段が利用されており、このものは照明手段３５で下段の踏板２を照らすことで階段の昇り降りの際の安全性を高めるなどできる（例えば特許文献１）。
【０００３】
ところで上記各段の踏板２に設けた照明手段３５は下階や上階に設けたコントローラやスイッチに配線３６で接続する必要があり、特許文献１に示すものは踏板２の下面の照明手段近傍から該踏板２の側端面が接する側板３３に亘る配線用ダクト３４を設け、この配線用ダクト３４に照明手段３５の配線３６を通して下階や上階のコントローラ等に接続してある。
【０００４】
ここで上記配線用ダクト３４は以下に示すように形成される。踏板２の照明手段３５近傍の前部の下面に左右方向に伸びる踏板側ダクト３４ａを設け、該踏板側ダクト３４ａは踏板２の側端部に至っている。また側板３３の側面には側板３３の長手方向に沿って側板側ダクト３４ｂを設けている。側板側ダクト３４ｂの長手方向の任意の箇所は同じく側板３３の側面に設けた連通用ダクト３４ｃを介して踏板側ダクト３４ａの端部に接続してあり、これにより配線用ダクト３４が形成される。
【０００５】
しかし上記図１６に示す照明付階段は側板側ダクト３４ｂ及び連通用ダクト３４ｃを側板３３から突出して設けてあるので、これらダクト３４ｂ、３４ｃが側板３３の外観を損ねる。また連通用ダクト３４ｃを踏板２の下面に沿って設け、これを側板側ダクト３４ｂに接続する必要があって施工が面倒である。しかもこの照明付階段では連通用ダクト３４ｃを踏板２の下面に沿って設け、これを側板側ダクト３４ｂに接続する必要があって施工が難しい。
【特許文献１】特開２０００−３０３６４４号公報
【発明の開示】
【発明が解決しようとする課題】
【０００６】
本発明は上記従来の問題点に鑑みて発明したものであって、踏板の切込部に桁を嵌め込むと共に切込部の縁部を桁の嵌込溝に嵌め込んで接続するオープン階段において、照明手段に接続した配線を配線用の通路を介して上階や下階のコントローラ等に接続することができ、また施工作業が容易で桁の側面をシンプルな外観とすることができる照明付階段を提供することを課題とする。
【課題を解決するための手段】
【０００７】
上記課題を解決するために本発明に係る照明付階段は、踏板２の前部の下面に照明手段を設け、該踏板２の下面に照明手段近傍の踏板２の前部から後方に伸びる踏板側配線溝部１７を形成し、該踏板２に踏板側配線溝部１７の後端部に連通する溝連通用凹所１８を形成し、踏板２に形成した後方に開口する切込部７に桁１を嵌め込むと共に切込部７の縁部を桁１に形成した前方に開口する嵌込溝４に嵌め込んだ状態で、前記溝連通用凹所１８を桁１の側面に形成した桁１の長手方向に伸びる桁側配線溝部６に連通させて成ることを特徴とする。
【０００８】
上記構成により、踏板２の切込部７に桁１を嵌め込むと共に切込部７の縁部を桁１の嵌込溝４に嵌め込んで接続するオープン階段において、照明手段に接続した配線１３を踏板２の踏板側配線溝部１７及び溝連通用凹所１８を順に通して桁側配線溝部６に導出し、上階や下階のコントローラ２６等に接続することができる。しかもこの場合、桁１の側面には配線１３用の溝として桁１の長手方向に伸びる直線状の桁側配線溝部６を形成するだけで良い。
【０００９】
また請求項２は請求項１において、桁側配線溝部６を嵌込溝４を横切るように形成すると共に、嵌込溝４を桁側配線溝部６よりも後方に至る位置まで形成し、桁側配線溝部６の嵌込溝４と重複する部分を除く部分を配線カバー２４で覆って成ることを特徴とする。
【００１０】
このように嵌込溝４を横切るように桁側配線溝部６を形成することで、嵌込溝４に嵌め込まれる踏板２に寸法誤差が生じて踏板２の後端面と嵌込溝４の後端面との間に隙間が生じたとしても、該踏板２を桁側配線溝部６を横切るように配置できる。
【００１１】
また請求項３は請求項１又は請求項２において、踏板２の後端部に収納凹所１１を形成し、該収納凹所１１に断面コ字状のカバーベース１５ｂを収納し、収納凹所１１とカバーベース１５ｂで溝連通用凹所１８を構成し、該溝連通用凹所１８に通した配線１３をカバーベース１５に取り付けた配線カバー１９ｂで覆って成ることを特徴とする。
【００１２】
溝連通用凹所１８内の配線１３を踏板２の表面と略面一となった配線カバー２４で覆って外観を向上できる。
【発明の効果】
【００１３】
請求項１に係る発明では、踏板の切込部に桁を嵌め込むと共に切込部の縁部を桁の嵌込溝に嵌め込んで接続するオープン階段において、照明手段に接続した配線を踏板の踏板側配線溝部及び溝連通用凹所を順に通して桁側配線溝部に導出できる。しかもこの場合、桁の側面には配線用の溝として桁の長手方向に伸びる直線状の桁側配線溝部だけを形成すれば良く、桁の側面をシンプルな外観とすることができ、また踏板を桁に取付けるだけで踏板側配線溝部と桁側配線溝部を連通させることができて、施工作業が容易になる。
【００１４】
また請求項２は請求項１の発明の効果に加えて、嵌込溝に嵌め込まれる踏板に寸法誤差が生じて踏板の後端面と嵌込溝の後端面との間に隙間が生じたとしても、該踏板を桁側配線溝部を横切るように配置でき、この場合、嵌込溝の上方及び下方に配置した配線カバーの端部を直線状に切断してその端面を形成するだけで、この端面を踏板の後端面や下面に隙間なく突き当てることができるようになり、桁側配線溝部と配線カバーとの間に形成される配線用の通路の嵌込溝側の端部開口を踏板で隠すことができる。
【００１５】
また請求項３は請求項１又は請求項２の発明の効果に加えて、溝連通用凹所と配線カバーからなる配線が通るための通路が踏板から大きく突出しないようにでき、踏板の外観を向上できる。
【発明を実施するための最良の形態】
【００１６】
以下、本発明を添付図面に示す実施形態に基づいて説明する。なお以下では階段を登る人から見て手前側を前側、奥側を後側と定義して説明する。
【００１７】
本例の照明付階段は、建物に設置した桁１に図１０や図１１に示すように複数の踏板２をその側端部（長手方向の端部）が桁１よりも外側方に突出するように取付け、各踏板２の下面の前部中央部に照明ユニット３からなる照明手段を設けて構成したものであり、蹴込板が無く且つ桁１の両側が露出したオープン階段である。
【００１８】
図２に示すように桁１は階段の傾斜方向に沿って長い板状に形成してあり、側面同士が対向するように一対並べて建物に設置してある。なお各桁１の下端は例えば下階の床５に接続され、また上端は例えば上階の梁や柱に接続される。各桁１の長手方向の複数箇所には前方に開口する嵌込溝４を形成している。各嵌込溝４は後方に傾斜した桁１の上面（桁１の前側の面）から後方に向かって水平に伸びており、各段の踏板２を嵌め込めるように溝幅が踏板２の厚みと略同じ寸法にしてある。各嵌込溝４は底の無い前部の切溝部４ａと切溝部４ａの両側部分を後方に延ばして形成した後部の有底溝部４ｂとで構成してあり、桁１の両側面に形成した有底溝部４ｂは側面視で矩形状に形成してある。
【００１９】
各桁１の両側面のうち踏板２の左右方向の中央部側（対向する桁１側）の側面には、踏板２の照明ユニット３に接続した配線１３を収納するための桁１側の通路として、桁１の長手方向に伸びる断面コ字状の桁側配線溝部６を形成している。桁側配線溝部６は桁１の長手方向の全長に亘って一直線状に形成してあり、各嵌込溝４の後部を横切り、側面視で長手方向の一部が各嵌込溝４と重複している。
【００２０】
図３は桁側配線溝部６と嵌込溝４の重複部分を示すものであり、図に示すように桁側配線溝部６は同面に形成した嵌込溝４の有底溝部４ｂよりも溝深さが深くなっている。各嵌込溝４は桁側配線溝部６を越えて桁側配線溝部６の後方に至る位置まで形成されている。即ち図３の桁側配線溝部６は各嵌込溝４の後端面（即ち側面視矩形状の有底溝部４ｂの後側の辺）の範囲内を通過し、これにより図中４ｃで示す各嵌込溝４の後部下側の角部が桁側配線溝部６の下方且つ後方に位置している。
【００２１】
上記桁１に取付けられる踏板２は図４に示すように左右方向に長い平面視略長方形板状をしている。図中７は踏板２の側部に設けた桁１を嵌め込むための後方に開口する切込部７であり、本例の踏板２は両側に配置される桁１の夫々に接続するものであるため、切込部７は踏板２の両側部の夫々に形成されている。踏板２の下面の前部の中央部には収納凹部８を形成してあり、収納凹部８には図１３に示すような発光体としてＬＥＤを備えた照明ユニット３を収納し、螺子１０で固着してある。
【００２２】
図４に示すように上記踏板２の下面には照明ユニット３近傍の踏板２の前部の中央部から後方に向かって伸びる直線状の収納溝９を形成している。収納溝９は断面コ字状であり、前端部は収納凹部８に連通し、後端部は踏板２の後端部にまで至っている。
【００２３】
踏板２の後端部には長手方向の中間部を収納溝９の後端部に連通接続した左右方向に伸びる収納凹所１１を形成している。収納凹所１１は踏板２の下面の後端部の切込部７間の部分を一段高くして形成した段部により構成してあり、長手方向の全長に亘る部分が下方及び後方に開口し、また長手方向の両端は各切込部７の後端部の側面から開口している。
【００２４】
収納溝９及び収納凹所１１の夫々には図６に示すように下方に開口する断面コ字状の長尺なカバーベース１５ａ、１５ｂが収納され複数の螺子１０により取付けられる。各カバーベース１５ａ、１５ｂは図５（ａ）に示すような合成樹脂製で長尺な断面コ字状のカバーベース材１６を所定寸法に切断して形成されるものであり、このうち収納溝９に収納されるカバーベース１５ａは収納溝９の全長に亘って設けてあるが、収納凹所１１に収納されるカバーベース１５ｂは図９に示すように収納凹所１１の長手方向の両端部には設けらておらず、長手方向の両端部を除いた全長に亘る部分に設けてある。これにより踏板２の下面には、収納溝９及びこれに収納したカバーベース１５ａからなる踏板側配線溝部１７と、収納凹所１１及びこれに収納したカバーベース１５ｂからなる溝連通用凹所１８が形成されることとなる。即ち本例の溝連通用凹所１８は踏板側配線溝部１７の後端部から両側の外側方に向けて伸びるものとなっており、踏板側配線溝部１７と溝連通用凹所１８で平面視Ｔ字状の踏板２側の配線１３用の通路を形成している。
【００２５】
なおカバーベース１５ｂ及びこれを覆う後述の配線カバー１９ｂのカバーベース１５ａの端部に対向する部分（図８のハッチングで示す部分）は切欠かれ、この切欠を介してカバーベース１５ａ内の空間とカバーベース１５ｂ内の空間が連通している。
【００２６】
図１３に示すように照明ユニット３には配線１３として２本の配線コード１３ａ、１３ｂを接続してある。２本の配線コード１３ａ、１３ｂのうち一方の配線コード１３ａの端部には雌型のコネクタ２０ａを設け、他方の配線コード１３ｂの端部には雄型のコネクタ２０ｂを設けている。配線コード１３ａのコネクタ２０ａは上段の踏板２の照明ユニット３に接続された配線コード１３ｂのコネクタ２０ｂに接続できるようになっており、つまり本例の照明ユニット３は各踏板２の照明ユニット３が配線１３により数珠繋ぎで接続されるものである。
【００２７】
図６に示すように上記各踏板２の照明ユニット３に接続した配線コード１３ａ、１３ｂは、踏板側配線溝部１７を構成するカバーベース１５ａの内部と溝連通用凹所１８を構成するカバーベース１５ｂの内部に順に通された後、溝連通用凹所１８の長手方向における一方の切込部７側の端部、即ち収納凹所１１のカバーベース１５ｂよりも更に切込部７側に位置する部分に至り、同部から踏板２の後方に向けて引き出される。
【００２８】
上記踏板側配線溝部１７及び溝連通用凹所１８に収納された２本の配線コード１３ａ、１３ｂは図７に示すように配線カバー１９ａ、１９ｂによって覆われる。配線カバー１９ａ、１９ｂは踏板側配線溝部１７を構成するカバーベース１５ａ及び溝連通用凹所１８を構成するカバーベース１５ｂの夫々に取付けられる。各配線カバー１９ａ、１９ｂは図５（ｂ）に示す合成樹脂製で長尺なカバー材２１を対応するカバーベース１５ａ、１５ｂと同じ長さ寸法に切断して形成される。カバー材２１は各カバーベース１５ａ、１５ｂの下開口を閉塞する覆い部２２と覆い部２２の両側から突出した嵌込片２３とで構成され、このカバー材２１を切断して形成した各配線カバー１９ａ、１９ｂは両側の嵌込片２３をカバーベース１５ａ、１５ｂの内側に嵌め込むことで覆い部２２の外面が踏板２の下面と略面一となるように各カバーベース１５に取付けられる。なおカバーベース１５ｂの後面も踏板２の後端面と略面一とされる。
【００２９】
上記各踏板２を桁１に取付けるには、桁１に取付ける前の踏板２に既述のように照明ユニット３を取付けると共に配線コード１３ａ、１３ｂを踏板側配線溝部１７及び溝連通用凹所１８内に収納して配線カバー１９ａ、１９ｂで覆い、図１０に示すようにこの踏板２の各切込部７を対応する桁１の嵌込溝４に前方から差し込んで嵌め合わせる。これにより踏板２の各切込部７に嵌込溝４の後部（有底溝部４ｂ間の部分）が嵌め込まれ、また各切込部７の縁部が嵌込溝４に嵌め込まれる。即ち各踏板２の切込部７の側縁部が嵌込溝４の有底溝部４ｂの垂直な後端面に近接し、各切込部７の周縁部のうち、前縁部が切溝部４ａに嵌め込まれ、両側の縁部が有底溝部４ｂに嵌め込まれる。なお各踏板２は切込部７において木工用接着剤と釘で桁１に固定されるものである。
【００３０】
このように踏板２を桁１に取付けた状態では、踏板２の溝連通用凹所１８の長手方向の両側の端部（収納凹所１１の長手方向の両側の端部）は桁側配線溝部６に対向して連通するようになっている。つまりこの場合は、踏板２の溝連通用凹所１８の長手方向の両側の端部の後方の開口は嵌込溝４の後端面に桁側配線溝部６を通過させることで形成された開口６ａに対向して連通し、同時に同端部の下方の開口は嵌込溝４の下端面に桁側配線溝部６を通過させることで形成された開口６ｂに対向して連通し、さらには同端部の切込部７側の開口は嵌込溝４よりも深く形成した桁側配線溝部６の嵌込溝４と側面視で重複する部分に対向して連通する。従ってこのように踏板２を桁１に取付けるだけで、収納溝９の前端から収納凹所１１を経て桁側配線溝部６に通じる連続した配線１３用の通路が形成されることとなる。
【００３１】
そして各踏板２から引き出された照明ユニット３の配線コード１３ａ、１３ｂを上段の踏板２の照明ユニット３の配線コード１３ｂや下段の踏板２の照明ユニット３の配線コード１３ａにコネクタ２０ａ、２０ｂを介して接続し、次に各照明ユニット３の踏板２から引き出された配線コード１３ａ、１３ｂを端部のコネクタ２０ａ、２０ｂも含めて桁１の桁側配線溝部６内に収納し、この後、図１２に示すように桁側配線溝部６に配線カバー２４を取付けることで桁側配線溝部６内の配線コード１３ａ、１３ｂを隠す。
【００３２】
上記のように各踏板２の溝連通用凹所１８の長手方向の端部から引き出された配線コード１３ａ、１３ｂを桁側配線溝部６に収納することで、各踏板２の照明ユニット３に接続した２本の配線コード１３ａ、１３ｂを踏板側配線溝部１７、溝連通用凹所１８、桁側配線溝部６とからなる連続した通路に収納でき、これら踏板側配線溝部１７、溝連通用凹所１８、桁側配線溝部６に順に通した配線コード１３ａ、１３ｂは配線カバー１９ａ、１９ｂ、２４によって覆い隠されることとなる。
【００３３】
ここで桁１の各嵌込溝４は図３に示すように桁側配線溝部６を越えて桁側配線溝部６よりも後方に至る位置まで形成されており、且つ各嵌込溝４の有底溝部４ｂには踏板２の切溝部４ａの側縁部が嵌め込まれるものであるので、配線カバー２４は桁側配線溝部６の全長に亘って設けることができない。このため配線カバー２４は桁側配線溝部６における各嵌込溝４間の部分等の嵌込溝４と重複する部分を除く部分に設けてあり、即ち配線カバー２４は桁側配線溝部６における各嵌込溝４の上方及び下方に設けている。これら配線カバー２４は図５（ｃ）に示す合成樹脂製で長尺なカバー材２８を所定の長さ寸法に切断して形成される。カバー材２８は踏板２側のカバー材２１と同様に桁側配線溝部６の外側方の開口を閉塞する覆い部２９と覆い部２９の両側から突出した嵌込片３０とで構成され、このカバー材２８から形成された各配線カバー２４は両側の嵌込片３０を桁側配線溝部６の内側に嵌め込むことで覆い部２９の外面が桁１の側面と略面一となるように取付けられる。
【００３４】
図１４に示すように桁１に配線カバー２４を取付けた状態において嵌込溝４の上方に位置することとなる配線カバー２４の下側の端面は嵌込溝４の有底溝部４ｂの垂直な後端面と平行となるように切断され、また嵌込溝４の下方に位置する配線カバー２４の上側の端面は嵌込溝４の有底溝部４ｂの水平な下面と平行となるように切断され、共に配線カバー２４の長手方向に対して傾斜した傾斜面となっており、嵌込溝４間の配線カバー２４は傾斜面となった端面を収納凹所１１の長手方向の端部に対向させてある。従って各嵌込溝４に踏板２を嵌め込んだ状態では、各配線カバー２４は一直線状に連続したような外観となる。
【００３５】
また最も上段又は下段の踏板２に設けた照明ユニット３は図１に示すように桁側配線溝部６、床５下、壁２５裏と順に通した配線１３により上階又は下階の壁２５に設けたコントローラ２６に接続されるものであり、これにより前記コントローラ２６に接続した上階又は下階のスイッチ２７を操作することで前記各照明ユニット３の点灯状態が変更できるようになっている。なおスイッチ２７は熱線センサ等の人体検知手段により人体を検知して自動的に照明ユニット３の点灯状態を変更する機能を有するものであっても良い。
【００３６】
以上説明したように本発明の照明付階段は、踏板２の下面に照明手段近傍の踏板２の前部から後方に伸びる踏板側配線溝部１７を形成し、踏板２に踏板側配線溝部１７の後端部に連通する溝連通用凹所１８を形成し、踏板２に形成した後方に開口する切込部７に桁１を嵌め込むと共に切込部７の縁部を桁１に形成した前方に開口する嵌込溝４に嵌め込んだ状態で、溝連通用凹所１８を桁１の側面に形成した桁１の長手方向に伸びる桁側配線溝部６に連通させたことで、踏板２の切込部７に桁１を嵌め込むと共に切込部７の縁部を桁１の嵌込溝４に嵌め込んで接続するオープン階段において、踏板側配線溝部１７の前端から溝連通用凹所１８を経て桁側配線溝部６に通じる連続した配線１３用の通路を形成でき、これにより各踏板２の前部の下面に設けた照明手段に接続された配線１３を踏板側配線溝部１７及び溝連通用凹所１８を順に介して桁側配線溝部６に導出し、桁側配線溝部６を介して上階や下階のコントローラ２６まで引き廻すことができる。
【００３７】
また本例では桁側配線溝部６を嵌込溝４を横切るように形成すると共に、嵌込溝４を桁側配線溝部６よりも後方に至る位置まで形成し、桁側配線溝部６の嵌込溝４と重複する部分を除く部分を配線カバー２４で覆ったので、嵌込溝４に嵌め込まれる踏板２に寸法誤差が生じて踏板２の後端面と嵌込溝４の後端面との間に隙間が生じたとしても、該踏板２を桁側配線溝部６を横切るように配置でき、この場合、嵌込溝４の上方及び下方に配置した配線カバー２４の傾斜した端面を踏板２の後端面や下面に隙間なく突き当てることができるので、桁側配線溝部６と配線カバー２４との間に形成される配線１３用の通路の嵌込溝４側の端部開口を踏板２で隠すことができる。即ちこの場合は嵌込溝４が桁側配線溝部６よりも後方に突出する分だけ踏板２の寸法誤差を吸収できる。
【００３８】
また本例では踏板２の後端部に収納凹所１１を形成し、該収納凹所１１に断面コ字状のカバーベース１５ｂを収納し、収納凹所１１とカバーベース１５ｂで溝連通用凹所１８を構成し、該溝連通用凹所１８に通した配線１３をカバーベース１５に取り付けた配線カバー１９ｂで覆ったので、溝連通用凹所１８内の配線１３を踏板２の下面と略面一となった配線カバー２４で覆って外観を向上できる。なお踏板側配線溝部１８を覆う配線カバー１９ａ、１９ｂの覆い部２２の外面は、踏板２と同色にしたり、踏板２と同様の木目調模様を有するものとすることが好ましく、この場合は、配線カバー１９ａ、１９ｂが目立たない。また同様に桁側配線溝部６を覆う配線カバー２４の覆い部２９の外面も桁１と同色としたり、桁１と同様の木目調模様を有するものとすることも好ましい。
【００３９】
また上記照明付階段は、両側の桁１に桁側配線溝部６を設け、踏板側配線溝部１７の後端部から両側に向けて溝連通用凹所１８を形成することで、踏板２に設けた照明ユニット３の配線１３を左右どちらの桁１の桁側配線溝部６にも導出できるようにしたが、片側の桁１にのみ桁側配線溝部６を設け、踏板側配線溝部１７の後端部から桁側配線溝部６を設けた桁１側に向けてのみ溝連通用凹所１８を形成しても良い。また上記照明付階段では踏板２の両側に桁１を配置すると共に踏板２の両側に切込部７を設け、これら切込部７を各桁１に嵌め込んだものであるが、例えば踏板２の片側にのみ桁１を配置すると共に図１５に示すように踏板２の片側にのみ切込部７を設け、この切込部７を踏板２の片側に配置した桁１に嵌め込むと共に他側を壁２５などに接続しても良いものとする。
【図面の簡単な説明】
【００４０】
【図１】本発明の実施の形態の一例を示すものであり、踏板の図示を省略した照明付階段の側面図である。
【図２】同上の桁の側面図である。
【図３】図２のＡ部拡大図である。
【図４】同上の踏板を示し（ａ）は下面図、（ｂ）は側面図である。
【図５】（ａ）はカバーベース材の斜視図であり、（ｂ）は踏板用のカバー材の斜視図であり、（ｃ）は桁用のカバー材の斜視図である。
【図６】同上の踏板に照明ユニット及びカバーベースを取付ける前の状態を示す斜視図である。
【図７】同上の踏板に配線カバーを取付ける前の状態を示す斜視図である。
【図８】同上の溝連通用凹所１８に設けられるカバーベース及びこれを覆う配線カバーの切欠部分をハッチングで示した斜視図である。
【図９】同上の踏板の要部拡大斜視図である。
【図１０】同上の踏板を桁に取付ける前の状態を示す斜視図である。
【図１１】同上の踏板を桁の嵌込溝に嵌め込んだ状態を示す斜視図である。
【図１２】図２のＢ−Ｂ′断面図である。
【図１３】同上の照明ユニットの斜視図である。
【図１４】桁用の配線カバー材の切断を説明するために用いた側面図である。
【図１５】他例の踏板の下面図である。
【図１６】従来の照明付階段の側面図である。
【符号の説明】
【００４１】
１  桁
２  踏板
６  桁側配線溝部
７  切込部
９  踏板側配線溝部１７
１１  溝連通用凹所１８
１３  配線
１９ｂ  配線カバー
２４  配線カバー
【図１】
2008106555.tif 000003
【図２】
2008106555.tif 000004
【図３】
2008106555.tif 000005
【図４】
2008106555.tif 000006
【図５】
2008106555.tif 000007
【図６】
2008106555.tif 000008
【図７】
2008106555.tif 000009
【図８】
2008106555.tif 000010
【図９】
2008106555.tif 000011
【図１０】
2008106555.tif 000012
【図１１】
2008106555.tif 000013
【図１２】
2008106555.tif 000014
【図１３】
2008106555.tif 000015
【図１４】
2008106555.tif 000016
【図１５】
2008106555.tif 000017
【図１６】
2008106555.tif 000018